(57)【要約】      （修正有）【課題】介護者への着衣及び脱衣作業を容易に行うことができる介護用上着を提供する。【解決手段】介護用上着１は、前身頃と後身頃３とからなる上着本体５と、この上着本体５に設けた縦方向の開閉部１Ａとを備える。この開閉部１Ａに面ファスナ１１，１１Ａを設ける。脇部１２の下部に縦方向の手挿入用開口部１３を設け、この手挿入用開口部１３の長さＬが２００ｍｍ以上とする。さらに、上着本体５の肩部１４と面ファスナ１１，１１Ａとの上部との間隔が４００ｍｍ以上とする。【選択図】図１
0003160086.tif 000002
【実用新案登録請求の範囲】
【請求項１】
前身頃と後身頃とからなる上着本体と、この上着本体に設けた縦方向の開閉部とを備えた介護用上着において、前記開閉部に該開閉部を開閉する面ファスナを設けたことを特徴とする介護用上着。
【請求項２】
左右の袖部を備え、脇部の下部に手挿入用開口部を設け、この手挿入用開口部の長さが２００ｍｍ以上であることを特徴とする請求項１記載の介護用上着。
【請求項３】
前記前身頃の略中央に該前身頃を左右に分離可能な前記開閉部を設けると共に、この開閉部の上部に略Ｖ字形の襟部を設け、前記上着本体の肩部と前記面ファスナとの上部との間隔が４００ｍｍ以上であることを特徴とする請求項１又は２記載の介護用上着。
【請求項４】
前記前身頃の左右にそれぞれ縦方向のダーツを設け、前記左右のダーツを８箇所以上設けたことを特徴とする請求項１〜３のいずれか１項に記載の介護用上着。
【請求項５】
前記開閉部に間隔をおいて複数の面ファスナを設け、間隔をおいて隣合う面ファスナの少なくとも一組の色が異なることを特徴とする請求項１〜４のいずれか１項に記載の介護用上着。
【請求項６】
前記面ファスナは略方形をなし、その角部を面取りしたことを特徴とする請求項１〜５のいずれか１項に記載の介護用上着。
【請求項７】
前記面ファスナの外周を曲線により形成したことを特徴とする請求項１〜６のいずれか１項に記載の介護用上着。
【請求項８】
前記開閉部に、少なくとも上下一方が開いた袋部を形成し、この袋部に間隔をおいて複数の開口部を設け、前記袋部内に前記複数の開口部に跨る面ファスナを着脱自在に設けたことを特徴とする請求項１〜４のいずれか１項に記載の介護用上着。
【請求項９】
前記袋部は、前記開閉部の縁部を折り返して重ね合わせ、縁から離れた前記重ね合わせ部分を縫着してなり、前記袋部の下部を閉塞し、前記袋部の上部に、面ファスナを抜き差し可能な挿入開口部を設けたことを特徴とする請求項８記載の介護用上着。
【考案の詳細な説明】
【技術分野】
【０００１】
本考案は、介護用上着に関し、特に、身体が不自由な人や寝たきりの人等に好適な介護用上着に関する。
【背景技術】
【０００２】
従来、この種のものとして、上着の左右脇側下端から袖口および／あるいは首回りから袖口までを連続する開閉ラインを設け、この開閉ラインに一対のスライダーを備えたダブルファスナーを取り付けて、上記スライダーを両端から中央側へと引くことにより開閉ラインを開ける構成としている介護用衣類（例えば特許文献１）が提案されている。
【０００３】
上記介護用衣類では、ファスナを開くことにより、前身頃と後身頃を分離できるため、衣類の装着が容易となる。しかし、ファスナを閉める際には、ファスナを合わせる作業が必要となり、介護者の向きなどを変えることが困難な場合、ファスナを合わせる作業が煩雑となる面がある。
【０００４】
また、ファスナを閉めると、前身頃と後身頃の合わせ目から手を入れて介護することが出来なくなるため、不便である。これに対して、通気性を確保するために合わせ目にマチを設けることは知られているが、従来のマチでは手を入れて作業するには不向きである。
【０００５】
さらに、前身頃と後身頃とをボタンにより連結する場合も、介護者が姿勢を変えることが出来ない場合、作業が煩雑となることが予想される。また、ボタンを用いた場合、掛け違いが起こることも懸念される。
【先行技術文献】
【特許文献】
【０００６】
【特許文献１】実用新案登録第３０６４９５号公報
【考案の開示】
【考案が解決しようとする課題】
【０００７】
そこで、本考案は、上記問題点を解決するものであり、介護者への着衣及び脱衣作業を容易に行うことができる介護用上着を提供することを目的とし、加えて、着衣状態で上着内に手を入れて作業を容易に行うことができる介護用上着を提供することを目的とし、加えて、装着感の良い介護用上着を提供することを目的とする。
【課題を解決するための手段】
【０００８】
請求項１の考案は、前身頃と後身頃とからなる上着本体と、この上着本体に設けた縦方向の開閉部とを備えた介護用上着において、前記開閉部に該開閉部を開閉する面ファスナを設けたことを特徴とする。
【０００９】
請求項２の考案は、左右の袖部を備え、脇部の下部に手挿入用開口部を設け、この手挿入用開口部の長さが２００ｍｍ以上であることを特徴とする。
【００１０】
請求項３の考案は、前記前身頃の略中央に該前身頃を左右に分離可能な前記開閉部を設けると共に、この開閉部の上部に略Ｖ字形の襟部を設け、前記上着本体の肩部と前記面ファスナとの上部との間隔が４００ｍｍ以上であることを特徴とする。
【００１１】
請求項４の考案は、前記前身頃の左右にそれぞれ縦方向のダーツを設け、前記左右のダーツを８箇所以上設けたことを特徴とする。
【００１２】
請求項５の考案は、前記開閉部に間隔をおいて複数の面ファスナを設け、間隔をおいて隣合う面ファスナの少なくとも一組の色が異なることを特徴とする。
【００１３】
請求項６の考案は、前記面ファスナは略方形をなし、その角部を面取りしたことを特徴とする。
【００１４】
請求項７の考案は、前記面ファスナの外周を曲線により形成したことを特徴とする。
【００１５】
請求項８の考案は、前記開閉部に、少なくとも上下一方が開いた袋部を形成し、この袋部に間隔をおいて複数の開口部を設け、前記袋部内に前記複数の開口部に跨る面ファスナを着脱自在に設けたことを特徴とする。
【００１６】
請求項９の考案は、前記袋部は、前記開閉部の縁部を折り返して重ね合わせ、縁から離れた前記重ね合わせ部分を縫着してなり、前記袋部の下部を閉塞し、前記袋部の上部に、面ファスナを抜き差し可能な挿入開口部を設けたことを特徴とする。
【考案の効果】
【００１７】
請求項１の考案によれば、面ファスナにより開閉部の開閉を簡便に行うことができる。
【００１８】
また、請求項２の考案によれば、手挿入用開口部が広いため、ここから介護者が手を入れて作業を容易に行うことができる。
【００１９】
また、請求項３の考案によれば、襟部の縦幅が広いため、ここから介護者が手を入れて作業を容易に行うことができる。
【００２０】
また、請求項４の考案によれば、ダーツを多く設けたから、着衣及び脱衣作業を容易に行うことができる。
【００２１】
また、請求項５の考案によれば、隣合う面ファスナの位置を間違えることなく、対応する面ファスナ同士を接合することができる。
【００２２】
また、請求項６の考案によれば、角部が面取りされているから、角部が体に当たることがなく、装着感に優れる。
【００２３】
また、請求項７の考案によれば、外周が曲線により形成されているから、角部が体に当たることがなく、装着感に優れる。
【００２４】
また、請求項８の考案によれば、面ファスナを取り外すことができ、取り外して上着を洗濯したり、面ファスナを交換することができ、また、角部が体に当たることもない。
【００２５】
また、請求項９の考案によれば、袋部を簡便に形成することができると共に、袋部の上部から面ファスナを容易に挿入することができ、また、抜け落ちることもない。
【図面の簡単な説明】
【００２６】
【図１】本考案の実施例１を示す正面図である。
【図２】同上、背面図である。
【図３】同上、開閉部を開いた正面図である。
【図４】本考案の実施例２を示す開閉部を開いた正面図である。
【図５】本考案の実施例３を示す面ファスナの正面図である。
【図６】本考案の実施例４を示す面ファスナの正面図である。
【図７】本考案の実施例５を示す開閉部の要部の正面図である。
【図８】同上、開閉部の断面説明図である。
【図９】本考案の実施例６を示す正面図である。
【図１０】同上、図９のX−Ｘ線断面図である。
【図１１】同上、背面図である。
【図１２】同上、前身頃の中央の開閉部を開いた正面図である。
【図１３】同上、前身頃と後身頃の展開図である。
【考案を実施するための形態】
【００２７】
本考案における好適な実施の形態について、添付図面を参照しながら詳細に説明する。なお、以下に説明する実施の形態は、特許請求の範囲に記載された本考案の内容を限定するものではない。また、以下に説明される構成の全てが、本考案の必須要件であるとは限らない。各実施例では、従来とは異なる新規な介護用上着を採用することにより、従来にない介護用上着が得られ、その介護用上着について記述する。
【実施例１】
【００２８】
以下、本考案の実施例を添付図面を参照して説明する。
【００２９】
図１〜図３は本考案の実施例１を示し、同図に示すように、介護用上着１は前開きの半袖タイプとしており、男女のどちらにも適用できるものである。前記上着１は、中央部に開閉部１Ａを設けた左右一対の前身頃２Ｌ，２Ｒと、後身頃３と、左右の半袖４Ｌ，４Ｒとからなり、布地から形成されている。尚、前記前身頃２Ｌ，２Ｒと、後身頃３とにより上着本体５を構成している。
【００３０】
前身頃２Ｌ，２Ｒと後身頃３とは、上着１の左右で縫着して連結され、これら連結された前身頃２Ｌ，２Ｒと後身頃３に、前記左右の半袖４Ｌ，４Ｒをそれぞれ縫着して連結している。
【００３１】
前記上着１の上部には、略V字形の襟部６が設けられ、この襟部６の下部に前記開閉部１Ａが連続する。この開閉部１Ａにおいて、前記前身頃２Ｌ，２Ｒの縁部７，７Ａを重ね合わせ、前側の縁部７の内面に一方の面ファスナ１１を設け、後側の縁部７Ａの外面に他方の面ファスナ１１Ａを設け、一方の面ファスナ１１と他方の面ファスナ１１Ａとは係脱可能なものである。
【００３２】
前記面ファスナ１１，１１Ａは、間隔を置いて複数設けられ、前記縁部７，７Ａに縫着などにより取り付けられている。
【００３３】
前記上着１の脇部１２には、前身頃２Ｌ，２Ｒと後身頃３との間に隙間を置いて手挿入用開口部１３が設けられ、この手挿入用開口部１３の長さＬｍを２００ｍｍ以上以下している。この場合、一般的な長さより略５０ｍｍ程度長い。
【００３４】
また、前記上着本体５の肩部１４と、前記面ファスナ１１，１１Ａの上部との間隔Ｋを４００ｍｍ以上としている。この場合、一般的な間隔より略１００ｍｍ程度大きい。
【００３５】
また、前記襟部６の上部の幅Ｈは１７０ｍｍ以上であり、一般的な幅より略４０ｍｍ程度大きい。
【００３６】
このように本実施例では、請求項１に対応して、前身頃２Ｌ，２Ｒと後身頃３とからなる上着本体５と、この上着本体５に設けた縦方向の開閉部１Ａとを備えた介護用上着において、開閉部１Ａに、該開閉部１Ａを開閉する面ファスナ１１，１１Ａを設けたから、面ファスナ１１，１１Ａにより開閉部１Ａの開閉を簡便に行うことができる。
【００３７】
また、このように本実施例では、請求項２に対応して、左右の袖部４Ｌ，４Ｒを備え、脇部１２の下部に手挿入用開口部１３を設け、この手挿入用開口部１３の長さＬが２００ｍｍ以上であり、手挿入用開口部１３が広いため、ここから介護者が手Ｈを入れて作業を容易に行うことができる。
【００３８】
また、このように本実施例では、請求項３に対応して、前身頃２Ｌ，２Ｒの略中央に該前身頃２Ｌ，２Ｒを左右に分離可能な開閉部１Ａを設けると共に、この開閉部１Ａの上部に略Ｖ字形の襟部６を設け、上着本体５の肩部１４と面ファスナ１１，１１Ａとの上部との間隔Ｋが４００ｍｍ以上であり、襟部６の縦幅が広いため、ここから介護者が手Ｈを入れて作業を容易に行うことができる。
【実施例２】
【００３９】
図４は本考案の実施例２を示し、上記実施例１と同一部分に同一符号を付し、その詳細な説明を省略して詳述すると、この例では、上下に隣合う面ファスナ１１，１１Ａを異なる色に設定している。例えば、同図に示すように、上中下の面ファスナ面ファスナ１１，１１Ａのうち、中の面ファスナ１１，１１Ａを着色し、上下の面ファスナを白とする。
【００４０】
このように本実施例では、請求項５に対応して、開閉部１Ａに間隔をおいて複数の面ファスナ１１，１１Ａを設け、間隔をおいて隣合う面ファスナ１１，１１Ａの少なくとも一組の色が異なるから、隣合う面ファスナの位置を間違えることなく、対応する面ファスナ同士を接合することができる。
【実施例３】
【００４１】
図５〜図６は本考案の実施例３を示し、上記各実施例と同一部分に同一符号を付し、その詳細な説明を省略して詳述すると、この例では、略方形をなす前記面ファスナ１１，１１Ａの９０度以下の角部を無くすように加工している。
【００４２】
図５では、面ファスナ１１，１１Ａの角部を面取りし、面取り部１５を形成したものを示す。
【００４３】
このように本実施例では、請求項６に対応して、面ファスナ１１，１１Ａは略方形をなし、その角部を面取りしたから、角部が体に当たることがなく、角部が当たる不快感を無くすことができる。
【００４４】
図６では略丸型の面ファスナ１１，１１Ａを示し、その外周が曲線により構成されている。なお、丸型に限らず、楕円形や卵型などでもよい。
【００４５】
このように本実施例では、請求項７に対応して、面ファスナ１１，１１Ａの外周を曲線により形成したから、角部が体に当たることがない。
【実施例４】
【００４６】
図７〜図８は本考案の実施例４を示し、上記各実施例と同一部分に同一符号を付し、その詳細な説明を省略して詳述すると、この例では、前記縁部７，７Ａに、袋部１６を形成する。この袋部１６は、例えば、縁部７，７Ａの布地を折返して重ね合わせ、縁から離れた重ね合わせ部分を縫着部１７により縫着することにより形成され、下部は閉塞し、上部に長尺な面ファスナ１１，１１Ａを抜き差し可能な挿入開口部１８を設けている。この挿入開口部１８から前記袋部１６内に、長尺な面ファスナ１１，１１Ａを着脱可能に挿入する。
【００４７】
また、前記袋部１６には、縁部７では、前面側に開口部１９を設け、これに対応して縁部７Ａでは、後面側に開口部１９を設ける。尚、面ファスナ１１，１１Ａは接合部が開口部１９側になるように挿入することにより、１本の面ファスナ１１，１１Ａの接合部が複数の開口部１９に臨む。
【００４８】
したがって、開口部１９から露出する面ファスナ１１，１１Ａ同士を接合することができる。
【００４９】
また、面ファスナ１１，１１Ａは洗濯を繰り返すと硬くなる面があるが、取り外して洗濯をすることができ、さらに、交換することも可能となる。
【００５０】
このように本実施例では、請求項８に対応して、開閉部１Ａに、少なくとも上下一方が開いた袋部１６を形成し、この袋部１６に間隔をおいて複数の開口部１９，１９を設け、袋部１６内に複数の開口部１９，１９に跨る面ファスナ１１，１１Ａを着脱自在に設けたから、上着１から面ファスナ１１，１１Ａを取り外すことができ、取り外して上着１を洗濯したり、面ファスナ１１，１１Ａを交換することができ、また、角部が体に当たることもない。
【００５１】
このように本実施例では、請求項９に対応して、袋部１６は、開閉部１Ａの縁部７，７Ａを折り返して重ね合わせ、縁から離れた前記重ね合わせ部分を縫着してなり、袋部１６の下部を閉塞し、袋部１６の上部に、面ファスナ１１，１１Ａを抜き差し可能な挿入開口部１８を設けたから、袋部１６を簡便に形成することができると共に、袋部１６の上部の挿入開口部１８から面ファスナ１１，１１Ａを容易に挿入することができ、また、抜け落ちることもない。
【実施例５】
【００５２】
図９〜図１３は本考案の実施例５を示し、上記実施例と同一部分に同一符号を付し、その詳細な説明を省略して詳述すると、この例の介護用上着１は、前身頃２Ｌ，２Ｒと後身頃３の側部の合わせ目と、袖部４Ｌ，４Ｒの下部とを連続する左右の開閉部２１，２１を有する。
【００５３】
袖部４Ｌ，４Ｒの前側下部の前面と前身頃２Ｌ，２Ｒの側部の前面に、複数の面ファスナ１１を間隔をおいて設け、これら面ファスナ１１に対応して、袖部４Ｌ，４Ｒの後側下部と後身頃３の側部の縁に、縁方向に長いタブ状の取付片２２を縫着し、これら取付片２２に面ファスナ１１Ａを設けている。そして、取付片２２を前側に折り返すようにして、面ファスナ１１Ａを面ファスナ１１に係止する。また、脇部１２の下に手挿入用開口部１３が設けられ、この手挿入用開口部１３の両側には前記取付片２２，２２が位置する。
【００５４】
また、前記前身頃２Ｌ，２Ｒには、それぞれダーツ２３を８箇所連続して設けている。このダーツ２３は、肩部１４から前身頃２Ｌ，２Ｒの下部側まで縦設して設けられ、図１０に示すように、布地に外折り目２４と内折り目２５を形成してなる。
【００５５】
このように本実施例では、請求項１に対応して、前身頃２Ｌ，２Ｒと後身頃３とからなる上着本体５と、この上着本体５に設けた縦方向の開閉部１Ａ，２１とを備えた介護用上着１において、開閉部１Ａ，２１に該開閉部１Ａ，２１を開閉する面ファスナ１１，１１Ａを設けたから、面ファスナ１１，１１Ａにより開閉部１Ａの開閉を簡便に行うことができ、請求項１〜３、５〜７に対応して、上記各実施例と同様な作用・効果を奏する。
【００５６】
また、このように本実施例では、請求項４に対応して、前身頃２の左右にそれぞれ縦方向のダーツ８を設け、左右のダーツ８を８箇所以上設けたから、着衣及び脱衣作業を容易に行うことができる。
【００５７】
尚、本考案は、本実施例に限定されるものではなく、本考案の要旨の範囲内で種々の変形実施が可能である。
【符号の説明】
【００５８】
１  介護用上着
１Ａ  開閉部
２  前身頃
３  後身頃
５  上着本体
６  襟部
７，７Ａ  縁部
１１，１１Ａ  面ファスナ
１２  脇部
１３  手挿入用開口部
１４  肩部
１５  面取り部
１６  袋部
１８  挿入開口部
１９  開口部
２１  開閉部
Ｌ  長さ
Ｋ  間隔
【図１】
0003160086.tif 000003
【図２】
0003160086.tif 000004
【図３】
0003160086.tif 000005
【図４】
0003160086.tif 000006
【図５】
0003160086.tif 000007
【図６】
0003160086.tif 000008
【図７】
0003160086.tif 000009
【図８】
0003160086.tif 000010
【図９】
0003160086.tif 000011
【図１０】
0003160086.tif 000012
【図１１】
0003160086.tif 000013
【図１２】
0003160086.tif 000014
【図１３】
0003160086.tif 000015